【事件の表示】
　特許第２９３９６４２号「遊技装置」の特許に対する特許異議の申立てについて、次のとおり決定する。
【結　論】
　特許第２９３９６４２号の特許を維持する。
【理　由】
１.本件発明
　特許第２９３９６４２号（平成２年６月１９日出願、平成１１年６月１８日設定登録）の請求項１に係る発明（以下、本件発明という。）は、その特許請求の範囲の請求項１に記載された次のとおりのものである。
「遊技装置本体に対して着脱可能な遊技盤の遊技部に配設された電気的役物装置と、
上記電気的役物装置の動作制御を行う役物制御手段と、
少なくとも上記電気的役物装置へ入賞した入賞球が集合されて、流下する入賞球を１個宛検出する入賞球検出手段と、
電気的駆動源の作用により複数種類の数量の球を排出可能な球排出装置と、
上記球排出装置を制御して所要数の球を排出させる球排出装置制御手段と、
遊技者の所要貸出操作に基づき当該遊技装置の遊技に用いる球の貸出制御を行う貸出制御手段と、
を備え、
上記役物制御手段は、上記入賞球検出手段からの入賞球検出信号に基づき、上記球排出装置制御手段へ入賞球に応じた数の賞球排出を行わせるための賞球排出制御信号を出力する賞球排出制御信号出力手段を含むとともに、
上記貸出制御手段は、金額を特定可能な所要情報が記憶された記憶媒体が挿入されて遊技者の貸出操作が行われた際に、上記球排出装置制御手段へ遊技者の貸出操作に基づく所定数の貸球排出を行わせるための貸球排出制御信号を出力する貸球排出制御信号出力手段を含ませて構成し、
上記球排出装置制御手段は、
上記賞球排出制御信号または貸球排出制御信号に基づき上記球排出装置から各々所定数の球を排出させる排出実行手段と、
上記球排出装置から排出される所定数の球の中、賞球排出制御信号に係わる賞球排出数を加算記憶する加算記憶手段と、
上記加算記憶手段の加算記憶値が所定値に達する毎に賞球排出信号を発生する信号発生手段と、
を備え、
上記信号発生手段からの賞球排出信号を、複数の遊技装置を集中管理する管理装置側へ送信するようにしたことを特徴とする遊技装置。」
　
２.申立ての理由の概要
　本件発明は、その出願前に頒布された下記甲第１号証及び甲第２号証、並びに、甲第３〜５号証記載の周知技術に基づいて、当業者が容易に発明をすることができたものであるから、特許法第２９条第２項に規定する発明に該当し、本件発明の特許を取り消すべきものである。
記
甲第１号証：特開平２−１２８７７９号公報
甲第２号証：特開昭６３−１０２７８３号公報　甲第３号証：特開平１−１７１５８５号公報
甲第４号証：特開平１−２７０８８５号公報
甲第５号証：実願昭６２−１１１７７２号（実開昭６４−１９４８１号）のマイクロフィルム
　
３.甲号証の記載内容
　甲第１号証（特開平２−１２８７７９）には、次のことが記載されている。
「遊技盤８は、第２図に示すように、・・・変動入賞装置１５を・・・設けてある。」（第４頁右下欄第２０行〜第５頁左上欄第１０行）、
「第９図に役物制御装置５０を示す。
　この役物制御装置５０は、裏機構盤４６に取付ける基板５６上に、差数発生手段、第１演算記憶手段、第２演算記憶手段、第３演算記憶手段等からなるＣＰＵ５７を有し、このＣＰＵ５７を覆うカバー部材５８を取付けてある。また、基板５６の一端には、回収球信号出力端子５９、賞球信号出力端子６０、ゲーム中信号出力端子６１、大当り信号出力端子６２等の端子が配設してあり、遊技店内の管理室等に設けられた中央処理装置と電気的に連絡されている。」（第５頁右下欄第１０〜１９行）、
「１回の入賞により排出する賞球数は、１５発台、１３発台等のように各パチンコ機毎に異なることが多く、１種類の役物制御装置５０で異なる賞球数に対応するため、賞球数設定スイッチ６５が設けてある。すなわち、本実施例においては、セーフ球をセーフ球センサー５２により検出して、第２演算記憶手段で賞球として排出する排出球数を演算しているので、１個のセーフ球が何個の排出球に該当するかを、賞球数設定スイッチ６５で設定してしている。この賞球数設定スイッチ６５は、ノブを回動することにより、例えば、１５個、１３個、１１個、７個の賞球数を選択できるようになっている。」（第６頁右上欄第１〜１３行）、
「ＣＰＵ５７の第１出力ポートラッチ７５からは、第１ドライバ８３を介して、ソレノイド３８へ駆動信号が出力されるとともに、可変表示部９の可変表示、大当り表示、継続表示、入賞個数表示、継続回数表示、カウント表示等を行なうための信号が出力される。また、ＣＰＵ５７の第２出力ポートラッチ７６からは、第２ドライバ８４を介して、割数表示器６４へ出力信号が送出されるとともに、半導体リレー８５を介して、回収球信号、賞球信号、ゲーム中信号、大当り信号等の出力信号が送出される。」（第７頁左上欄第１〜１１行）、
「遊技店内の管理室等に設置された中央処理装置から開店指令信号が出力されると、各パチンコ機１における役物制御装置５０では、ＣＰＵ５７がリセットされ、Ｉ／Ｏポートが初期化される。」（第７頁右上欄第２〜５行）、
「入賞口１３へ打球が入賞して、セーフ球流下路５１に設けられたセーフ球センサー５２がこの打球を検出すると、ＣＰＵ５７内の第２演算記憶手段である賞球メモリに賞球数設定スイッチ６５によって設定された賞球数を加算し、同様に賞球信号メモリに賞球数を加算する。賞球信号メモリの値が１０を越えた場合には賞球信号を出力し、賞球信号メモリから１０を減算する。この賞球信号メモリは、データ集計用の信号を出力するためのメモリで、本実施例においては、１０個の賞球で１パルスを出力している。」（第８頁右上欄第７〜１７行）。
　
　甲第２号証（特開昭６３−１０２７８３号公報）には、次のことが記載されている。
「遊技者がカード発行機に貨幣を投入し、所望する金額を選択釦等により選択すると、中央管理装置の記憶装置内に当該選択した金額がカード識別情報とともに記憶され、カード発行機からは上記カード識別情報が書き込まれたカード２１が排出される。
　遊技者はこのカード２１を取得して自分の好みのパチンコ機１を選択し、当該パチンコ機１の球貸機能部２のカード挿排口７にカード２１を挿入する。カード挿排口７にカード２１を挿入すると、第１カード検出器１７がカード２１の先端を検出して信号を電気的制御装置に送る。この信号を受信した電気的制御装置は、搬送モータ１２を作動してカード２１を取り入れる。・・・中央管理装置からそのカード２１の残高を受信すると、電気的制御装置が金額表示器８にその金額を表示する。遊技者が金額表示器８の表示を確認し、金額選択操作部１０を操作することにより所望する金額を選択すると、電気的制御装置が当該パチンコ機１の球排出装置４を作動して、遊技者が選択した金額に対応した数量の球を該パチンコ機１前面の受皿２５に排出させる。」（第２頁右下欄第１行〜第３頁右上欄第７行）、
「球排出装置４は、第４図に示すように、貯留タンク２６から延出した樋２７の途中に設けられ、ソレノイド２８の駆動により樋２７内に出没して球の流下を規制する球ストッパ部２９と、通過する球を一個宛検出する球通過検出部３０等を備え、上記ソレノイド２８及び球通過検出部３０を電気的制御装置に接続してある。電気的制御装置からの信号によりソレノイド２８が励磁すると、球ストッパ部２９が樋２７内の球流路から退いて樋２７内の球が流下するとともに、球通過検出部３０が通過する球を検出して電気的制御装置に信号を送る。電気的制御装置は、球通過検出部３０からの信号を計数し、所定数の球が通過したことを計数するとソレノイド２８を消磁して球の流下を停止する。したがって、遊技者が球賞機能部２の金額選択操作部１０を操作すると、選択した金額に対応する所定数の球が流下し、これらの球は球排出樋３１を介してパチンコ機１前面の受皿２５に排出される。・・・また、上記した球排出装置４は、遊技中に打球が入賞口に入る等して入賞態様が形成されると、電気的制御装置からの信号を受けて作動し、入賞態様に対応する数、例えば１３個の球を流下し、受皿２５に賞球として排出する。この様に、本発明においては、球貸出排出と賞球排出とを１つの排出装置４で行うようにした。」（第３頁左下欄第５行〜右下欄第１４行）。
　
　甲第３号証（特開平１−１７１５８５号公報）には、「パチンコ機２は本体である中枠１２と、中枠１２にヒンジ１５によって開閉可能な外枠１４と、中枠１２に設けた遊技盤収納枠１６とを主構成としている。この遊技盤収納枠１６には遊技盤１９がロック部材１８によって着脱可能に設けてある。」（第３頁左下欄第７〜１１行）ことが記載されている。
　甲第４号証（特開平１−２７０８８５号公報）には、「この遊技盤１２収納枠５０には遊技盤１２がロック部材５１によって着脱可能に設けてある。」（第６頁右上欄第２〜３行）ことが記載されている。
　甲第５号証（実願昭６２一１１１７７２号（実開昭６４−１９４８１号）のマイクロフィルム）「基枠に着脱自在に取り付けられる遊技盤に電気配線接続用の一対のコネクタの一方を配置し、前記基枠にコネクタの他方を配置するようにしたことを特徴とするパチンコ機。」（第１頁第４〜７行）が記載されている。
　
４.対比・判断
　本件発明と甲第１号証記載の発明とを対比してみると、甲第１号証記載の発明の「変動入賞装置１５」は本件発明の「電気的役物装置」に、「役物制御装置５０」は「役物制御手段」に、「セーフ球センサ５２」は「入賞球検出手段」に、「賞球メモリ」は「加算記憶手段」に、それぞれ相当し、また、甲第１号証には「セーフ球センサー５２がこの打球を検出すると、ＣＰＵ５７内の第２演算記憶手段である賞球メモリに賞球数設定スイッチ６５によって設定された賞球数を加算し、同様に賞球信号メモリに賞球数を加算する。」と記載されているから、甲第１号証の発明は「入賞球検出手段が入賞球を検出すると賞球排出数を加算記憶する加算記憶手段」を有しており、さらに、甲第１号証には「基板５６の一端には、・・・賞球信号出力端子６０・・・が配設してあり、遊技店内の管理室等に設けられた中央処理装置と電気的に連絡されている。」、「ＣＰＵ５７の第２出力ポートラッチ７６からは、第２ドライバ８４を介して、・・・半導体リレー８５を介して、賞球信号・・・等の出力信号が送出される。」、「この賞球信号メモリは、データ集計用の信号を出力するためのメモリで、本実施例においては、１０個の賞球で１パルスを出力している。」等と記載されており、本件発明と同様に「賞球排出信号を管理装置側に送信」しているから、両者は、
「遊技盤の遊技部に配設された電気的役物装置と、
上記電気的役物装置の動作制御を行う役物制御手段と、
少なくとも上記電気的役物装置へ入賞した入賞球が集合されて、流下する入賞球を１個宛検出する入賞球検出手段と、
上記入賞球検出手段が入賞球を検出すると賞球排出数を加算記憶する加算記憶手段と、
上記加算記憶手段の加算記憶値が所定値に達する毎に賞球排出信号を発生する信号発生手段と、
上記賞球排出信号を、複数の遊技装置を集中管理する管理装置側へ送信するようにした遊技装置。」
である点で一致し、本件発明が、少なくとも、(a)「電気的駆動源の作用により複数種類の数量の球を排出可能な球排出装置」、
(b)「上記球排出装置制御手段は、上記球排出装置から排出される所定数の球の中、賞球排出制御信号に係わる賞球排出数を加算記憶する加算記憶手段を備えている」
の構成を有するのに対して、甲第１号証記載の発明はこれらの構成を有しない点で相違する。
　上記相違点を検討する。
　本件発明は、次の技術的課題と作用効果を有している。
(1)「〈従来の技術〉
　多数の遊技装置が設置された遊技店では、これらの遊技装置を統括的に管理するための管理装置を導入しており、この管理装置によって、・・・遊技装置から回収される入賞球の検出信号の数と該入賞球に対して予め定められている球賞数とから演算により求めるなどして、当該遊技装置が賞球として排出した賞球排出数情報を取得し、これらの情報（補給数情報や賞球排出数情報等）に基づいて営業を行うのが一般的になっている。」（第３欄第１４〜２４行）、
(2)「〈発明が解決しようとする課題〉
　しかしながら、近年の遊技装置では、遊技盤を交換できるものが広く用いられており、各遊技盤の種類に応じて入賞球に対する賞球数が異なっていたり、或いは、入賞口の種別により賞球数が異なっていたりするものも多く、このような遊技装置を導入している遊技店の管理装置は、各遊技装置から送信される入賞球の検出信号の総数と各入賞球に対する賞球数とから単純な演算で排出賞球数を求めることができない。
　そのため、このような遊技装置を導入している遊技店では,賞球数の種類毎に管理装置へ信号を送信する等の手段を講じなければ、管理装置で賞球排出数を演算できないために、管理装置と各遊技装置との間に多くの信号線が必要となり、発生が煩雑になってしまう。
　また、遊技装置の遊技盤が交換され、交換された遊技盤の賞球数が以前の遊技盤の賞球数の種類よりも増えた場合には、新たに管理装置との信号線を増設する必要があり、さらに以前の遊技盤の賞球数と交換された遊技盤の賞球数が異なる場合には、管理装置の入賞球に対する排出賞球数の設定を変更する必要が生じる。
　このように、検出された入賞球の数と各入賞球に対する排出賞球数とから各遊技装置での排出賞球数を管理装置が管理することは非常に困難である。」（第３欄第３欄第２５〜４８行）、
(3)「また、・・・電気的制御装置１１０を・・・設けてあり、・・・排出センサ５０ａ、５０ｂ・・・等より得た「賞球排出データ」・・・を管理装置９５のホールコンピュータ９６へ伝送するのである。」（第１７欄第３８〜４７行）、
(4)「また、球排出装置制御部１１２は電気的制御装置１１０とは別体の独立した装置とし、例えば、球排出装置２５の近傍に設けるようにしても良い。（第１８欄第２１〜２３行）」、
(5)「また、入賞口により賞球数が異なる遊技番が装着されている遊技装置においても、賞球数の種類毎に異なる賞球数信号を送信することなく、共通化された賞球排出信号のみによって、総賞球排出数を管理装置側で把握させることができるし、遊技盤が交換されて賞球数が変化したり賞球数の種類が変化する場合にも、管理装置側との間の配線を変更することなく、総賞球排出数を管理側で把握させることができる。」（第２５欄第２６〜第２６欄第５行）。
　
　本件発明の特許明細書の上記(1)〜(5)の記載から、本件発明の構成要件である上記(b)は、球排出装置２５から排出される実際の賞球排出数を、球排出装置２５の排出センサ５０ａ、５０ｂ等によりカウントとし、その賞球排出数を、電気的制御装置１１０とは別体の球排出装置近部に設けられれ球排出装置制御部１１２に備えられた加算記憶手段に加算記憶させるようにしたことを意味するものと認められ、このように構成することによって、上記(a)の構成と相まって、上記(5)記載の作用効果、とくに、遊技盤が交換されて賞球数が変化したり賞球数の種類が変化する場合にも、管理装置側との間の配線を変更することなく、総賞球排出数を管理側で把握させることができるという作用効果を奏する。
　
　上記相違点を検討するために、甲第２号証をみるに、甲第２号証記載の「球排出装置４」は本件発明の「球排出装置」に、「電気的制御装置」は「球排出制御手段」に、「球貸出機能部２」は「貸出制御手段」に、それぞれ対応し、また、本件発明の「賞球排出制御手段」、「貸球排出制御手段」、「排出実行手段」に対応する手段は、甲第２号証の第３頁左下欄第１９行〜右下欄第１４行に事実上記載されているから、甲第２号証には、
「電気的駆動源の作用により球を排出可能な球排出装置と、
上記球排出装置を制御して所要数の球を排出させる球排出装置制御手段と、
遊技者の所要貸出操作に基づき当該遊技装置の遊技に用いる球の貸出制御を行う貸出制御手段と、
を備え、
上記球排出装置制御手段は、
上記球排出装置から各々所定数の球を排出させる排出実行手段
を備え」た点については記載されているものの、上記相違点(a)、(b)については記載されていない。
　また、甲第３〜５号証には、遊技装置本体に対して着脱可能な遊技盤については記載されているものの、上記相違点(a)、(b)については記載されていない。
　
　したがって、甲第１〜５号証には、いずれにも上記相違点(a)、(b)が記載されておらず、甲第１号証及び甲第２号証、並びに、甲第３〜５号証記載の周知技術を組み合わせても本件発明の構成にはなりえないから、本件発明は、その出願前に頒布された甲第１〜５号証記載の発明に基づいて当業者が容易に発明をすることができたものとはいえず、特許法第２９条第２項に該当しない。
　
５.むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年６月２９日（２０００．６．２９）